(57)【特許請求の範囲】
【請求項１】
１台以上の室外機（10）と複数台の室内機（20,20,…）とを備えた空気調和装置であって、
前記室外機（10）は、所定の移行信号に応じて運転停止中に電力供給が遮断される待機電力対応機種であるか否かを示す機種仕様情報が予め記憶された記憶部（15）を有し、
前記複数台の室内機（20,20,…）のうち、電力供給が遮断された前記室外機（10）に電力供給を開始する起動手段（K2R）を備えた１台の室内機（20）を親機（20a）に構成し、他の室内機（20）を親機（20a）に連動する子機（20b,20c,20d,…）に構成する一方、
前記室内機の親機（20a）は、前記室外機（10）の前記機種仕様情報に基づき、前記室外機（10）が待機電力対応機種であるか否かを判定する判定部（23）と、該判定部（23）で前記室外機（10）の少なくとも１台が待機電力対応機種と判定された場合にのみ、該待機電力対応機種の室外機（10）に前記移行信号を送信する送信部とを有し、
表示部（33）と、前記室内機の親機（20a）との間で制御信号の送受信をする通信部（32）と、前記移行信号に応じて前記表示部（33）及び前記通信部（32）の少なくとも一方への電力供給を遮断する待機電力対応機種であるか否かを示す機種仕様情報が予め記憶された記憶部（35）とを有するリモコン（30）をさらに備え、
前記判定部（23）は、前記室外機（10）及び前記リモコン（30）の前記機種仕様情報に基づき、前記室外機（10）及び前記リモコン（30）が待機電力対応機種であるか否かを判定し、
前記送信部は、前記判定部（23）で前記室外機（10）の少なくとも１台及び前記リモコン（30）が待機電力対応機種と判定された場合にのみ、該待機電力対応機種の室外機（10）及びリモコン（30）に前記移行信号を送信することを特徴とする空気調和装置。
【発明の詳細な説明】
【技術分野】
【０００１】
本発明は、複数台の室内機と室外機とを備えたマルチ型空気調和装置に関する。
【背景技術】
【０００２】
従来より、待機電力を低減する目的で、運転停止中に室外機への電力供給を遮断することができる空気調和装置が知られている。
【０００３】
例えば、特許文献１には、運転停止中に電力供給が遮断される待機電力対応機種で構成された１台の室外機と、電力供給が遮断された室外機に対し電力供給を開始する起動手段を有する待機電力対応機種で構成された複数台の室内機とを備えたマルチ型空気調和装置が開示されている。この空気調和装置では、室内機を個別に運転操作をすることができるようになっており、運転を停止する際には、室内機から室外機に運転停止信号を送信し、室外機が全ての室内機から運転停止信号を受信したときに、室外機への電力供給が遮断される。一方、運転停止中の空気調和装置を運転させる際には、室内機が前記起動手段を作動させて、室外機を起動させる。
【先行技術文献】
【特許文献】
【０００４】
【特許文献１】特開２０１０−２４３０５１号公報
【発明の概要】
【発明が解決しようとする課題】
【０００５】
ところで、複数台の室内機を備えた空気調和装置において、待機電力対応機種の室内機と前記起動手段を有しない待機電力未対応機種の室内機とを混在させて利用することが考えられる。
【０００６】
しかしながら、前記特許文献１に開示された空気調和装置では、室内機に待機電力対応機種と待機電力未対応機種とが混在していると、待機電力未対応機種の室内機に運転開始要求がされたときに、電力供給が遮断された室外機を起動することができず、その結果、空気調和装置を作動させることができない。
【０００７】
一方で、待機電力対応機種の室内機と運転の状態に関わらず常時電力が供給される待機電力未対応機種の室外機とを組み合わせて利用することも考えられる。
【０００８】
こうした場合には、室外機が待機電力未対応機種であるのにも関わらず、室内機が室外機に対し電力供給の遮断要求をしてしまい、システム障害（通信エラー）が発生する虞がある。
【０００９】
本発明は、かかる点に鑑みてなされたものであり、その目的とするところは、待機電力対応機種の室内機と待機電力未対応機種の室外機とを組み合わせてもシステム障害が発生せず、室内機に待機電力対応機種と待機電力未対応機種とが混在していても作動するマルチ型の空気調和装置を提供することである。
【課題を解決するための手段】
【００１０】
第１の発明は、１台以上の室外機（10）と複数台の室内機（20,20,…）とを備えた空気調和装置を対象とし、前記室外機（10）は、所定の移行信号に応じて運転停止中に電力供給が遮断される待機電力対応機種であるか否かを示す機種仕様情報が予め記憶された記憶部（15）を有し、前記複数台の室内機（20,20,…）のうち、電力供給が遮断された前記室外機（10）に電力供給を開始する起動手段（K2R）を備えた１台の室内機（20）を親機（20a）に構成し、他の室内機（20）を親機（20a）に連動する子機（20b,20c,20d,…）に構成する一方、前記室内機の親機（20a）は、前記室外機（10）の前記機種仕様情報に基づき、前記室外機（10）が待機電力対応機種であるか否かを判定する判定部（23）と、該判定部（23）で前記室外機（10）の少なくとも１台が待機電力対応機種と判定された場合にのみ、該待機電力対応機種の室外機（10）に前記移行信号を送信する送信部とを有している。
【００１１】
第１の発明では、室内機の子機（20b,20c,20d）が親機（20a）に連動するように構成されているから、室内機の親機（20a）に対し運転開始又は停止要求が行われることになる。そして、室内機の親機（20a）に運転停止要求がされたときに室外機（10）の少なくとも１台が待機電力対応機種である場合には、室内機の親機（20a）から待機電力対応機種の室外機（10）に移行信号が送信され、該移行信号を受信した室外機（10）への電力供給が遮断される一方、全ての室外機（10）が待機電力対応機種でない場合には、室内機の親機（20a）から室外機（10）に移行信号が送信されない。そして、室内機の親機（20a）に運転開始要求がされたときには、待機電力対応機種である親機（20a）により室外機（10）が起動される。
【００１２】
また、第１の発明の空気調和装置は、表示部（33）と、前記室内機の親機（20a）との間で制御信号の送受信をする通信部（32）と、前記移行信号に応じて前記表示部（33）及び前記通信部（32）の少なくとも一方への電力供給を遮断する待機電力対応機種であるか否かを示す機種仕様情報が予め記憶された記憶部（35）とを有するリモコン（30）をさらに備え、前記判定部（23）は、前記室外機（10）及び前記リモコン（30）の前記機種仕様情報に基づき、前記室外機（10）及び前記リモコン（30）が待機電力対応機種であるか否かを判定し、前記送信部は、前記判定部（23）で前記室外機（10）の少なくとも１台及び前記リモコン（30）が待機電力対応機種と判定された場合にのみ、該待機電力対応機種の室外機（10）及びリモコン（30）に前記移行信号を送信する。
【００１３】
第１の発明では、室外機（10）の少なくとも１台及びリモコン（30）が待機電力対応機種である場合に、室内機の親機（20a）から待機電力対応機種の室外機（10）及びリモコン（30）に移行信号が送信され、移行信号を受信した室外機（10）とリモコン（30）の通信部（32）及び表示部（33）の少なくとも一方への電力供給が遮断される。一方、上記以外の場合、すなわち、待機電力対応機種でないリモコン（30）及び室外機（10）が含まれている場合には、室内機の親機（20a）から室外機（10）及びリモコン（30）に移行信号が送信されない。
【発明の効果】
【００１４】
第１の発明によれば、待機電力対応機種の室内機（20）と電力供給を遮断可能に構成されていない待機電力未対応機種の室外機（10）とが組み合わされている場合に、仮に室外機（10）が移行信号を受信すると、遮断要求に応じることができないため、システム障害（通信エラー）が発生し得るところ、室内機の親機（20a）から室外機（10）に移行信号が送信されないため、室外機（10）が移行信号を受信することはない。従って、システム障害は発生しない。
【００１５】
また、室内機の親機（20a）に運転開始要求が行われ、該親機（20a）が待機電力対応機種で構成されているから、電力供給が遮断された室外機（10）は室内機の親機（20a）により確実に起動される。そのため、室内機の子機（20a）に待機電力未対応機種が含まれていても、空気調和装置は作動する。
【００１６】
従って、待機電力対応機種の室内機（20）と待機電力未対応機種の室外機（10）とを組み合わせてもシステム障害が発生せず、室内機（20）に待機電力対応機種と待機電力未対応機種とが混在していても作動するマルチ型の空気調和装置を提供することができる。
【００１７】
また、第１の発明によれば、待機電力対応機種の室内機（20）と待機電力未対応機種の室外機（10）や表示部（32）及び通信部(33）への電力供給を遮断することができない待機電力未対応機種のリモコン（30）とが組み合わされている場合に、仮に室外機（10）やリモコン（30）が移行信号を受信すると、遮断要求に応じることができないため、システム障害が発生し得るところ、室内機の親機（20a）から室外機（10）及びリモコン（30）に移行信号が送信されないため、室外機（10）及びリモコン（30）が移行信号を受信することはない。従って、待機電力対応機種の室内機（20）と待機電力未対応機種のリモコン（30）や待機電力未対応機種の室外機（10）を組み合わせてもシステム障害が起きない。
【００１８】
また、待機電力対応機種のリモコン（30）を組み合わせた場合には、表示部（32）及び通信部（33）の少なくとも一方の電力供給が遮断され得るから、待機電力をより効果的に低減することができる。
【図面の簡単な説明】
【００１９】
【図１】図１は、実施形態１に係る空気調和装置の全体構成を示す図である。
【図２】図２は、待機電力対応機種の室外機と、待機電力対応機種のリモコンと、室内機とが接続された場合の空気調和装置の電装系統ブロック図である。
【図３】図３は、実施形態に係る空気調和装置の状態遷移図である。
【図４】図４は、第２室外機電源部が充電される回路が形成された時点の各リレーの状態を示す図である。
【図５】図５は、充電状態への移行が完了した後の各リレーの状態を示す図である。
【図６】図６は、ウエイト状態への移行完了時における各リレーの状態を示す図である。
【図７】図７は、運転状態における各リレーの状態を示す図である。
【図８】図８は、運転状態からサスペンド状態へ移行するときの信号の流れを説明するための図である。
【図９】図９は、待機電力未対応機種の室外機と、待機電力対応機種のリモコンと、室内機とが接続された場合の空気調和装置の電装系統ブロック図である。
【図１０】図１０は、待機電力対応機種の室外機と、待機電力未対応機種のリモコンと、室内機とが接続された場合の空気調和装置の電装系統ブロック図である。
【図１１】図１１は、起動時チェックのフローチャートである。
【図１２】図１２は、実施形態２に係る空気調和装置の運転停止動作における信号の流れを説明するための図である。
【図１３】図１３は、その他の実施形態に係る空気調和装置の全体構成を示す図である。
【発明を実施するための形態】
【００２０】
以下、本発明の実施形態を図面に基づいて詳細に説明する。尚、以下の好ましい実施形態の説明は、本質的に例示に過ぎない。
【００２１】
《実施形態１》
図１は、本発明の実施形態１に係る空気調和装置（1）の全体構成を示す図である。こ
の空気調和装置（1）は、複数台の室内機（20,20,…)単位で運転制御することができるマルチ型空気調和装置であり、機種仕様の異なる室外機（10）、室内機（20）、及びリモートコントローラ（以下、リモコンという）（30）を組み合わせて、空気調和動作を行うことができるように構成されている。
【００２２】
空気調和装置（1）は、１台の室外機（10）と、１台の親機（20a）と、該親機（20a）に連動する３台の子機（20b,20c,20d）とから成る４台の室内機（20,20,…）と、該室内機の親機（20a）に接続された１台のリモコン（30）とを備えている。尚、室内機の子機の台数は、これに限れず、１台以上であればよい。
【００２３】
室外機（10）は、運転停止中に電力供給を遮断可能な待機電力対応機種又は運転の状態に関わらず電力供給される待機電力未対応機種で構成される。
【００２４】
室内機の親機（20a）は、電力供給が遮断された待機電力対応機種の室外機（10）に電力供給を開始して、該室外機（10）を起動させる起動手段を有する待機電力対応機種で構成される。
【００２５】
室内機の子機（20b,20c,20d）は、上記待機電力対応機種又は上記起動手段を有しない待機電力未対応機種で構成される。
【００２６】
リモコン（30）は、運転停止中に後述する液晶表示部（33）及びリモコン通信部（32）の少なくとも一方への電力供給を遮断可能な待機電力対応機種又は運転の状態に関わらず液晶表示部（33）及びリモコン通信部（32）への電力供給が行われる待機電力未対応機種で構成される。
【００２７】
以下、本発明を具体的に説明していく。
【００２８】
図２は、本発明の一実施例である待機電力対応機種の室外機（10）と待機電力対応機種のリモコン（30）と室内機（20,20,…）とが接続された場合の空気調和装置（1）の電装系統ブロック図である。
【００２９】
この空気調和装置（1）では、室内機の子機（20b,20c,20d）として待機電力未対応機種の室内機を採用している。尚、図２において、室内機の子機（20c,20d）は、便宜上省略している。
【００３０】
空気調和装置（1）では、室外機（10）で、商用交流電源（40）から交流(この例では２００Ｖの三相交流)を受電して室外機（10）内の回路や電動圧縮機の電力として用いる他、その三相交流の２相分を室内機（20,20,…）に給電するようになっている。また、室外機（10）と室内機の親機（20a）との間では、室内機の親機（20a）から室外機（10）を制御するため等の目的で、制御信号の送受信による通信を行うようになっている。また、室内機（20,20,…）間では、室内機の親機（20a）から室内機の子機（20b,20c,20d）を制御するため等の目的で、制御信号の送受信による通信を行うようになっている。このように、空気調和装置（１）では、室外機（10）から室内機（20,20,…）への給電と両者間の制御信号の送受信を行うために、交流電源（40） からの交流を送電する電力配線（L）と、制御信号を伝送する信号線（S）と、前記交流の送電と制御信号の伝送を共用する共通線（N）との３線（内外配線）が室外機（10） と室内機（20,20,…)間に設けられている。
【００３１】
この例では、電力配線（L）は、室外機（10）において、交流電源（40）のＲ相に接続され、共通線（N）は、交流電源（40）のＳ相に接続されている。こうして、室内機（20,20,…）には、単相交流が供給されている。
【００３２】
<室外機（待機電力対応機種）>
室外機（10）は、電装系統として、第１室外機電源部（14）、第２室外機電源部（12）、室外機伝送部（11）、室外機制御部（13）、室外機記憶部（15)、及びリレー（K13R,K14R,K15R,K16R）を備えている。尚、図示は省略するが、室外機（10）には、電動圧縮機、室外熱交換器、室外ファン、膨張弁などの機器が設けられている。
【００３３】
−第１室外機電源部（14）−
第１室外機電源部（14）は、商用交流電源（40）から受電した３相交流を直流に変換し、いわゆるインテリジェントパワーモジュール（Intelligent Power Module、以下、ＩＰＭと称する）や室外ファンモータに供給する。尚、ＩＰＭは、入力された直流を所定の周波数及び電圧の交流に変換し、前記電動圧縮機のモータに給電する。
【００３４】
−第２室外機電源部（12）−
第２室外機電源部（12）は、前記三相交流のＲ相及びＳ相の２相を直流（この例では５Ｖ）に変換し、室外機制御部（13）に供給する。
【００３５】
−室外機伝送部（11）−
室外機伝送部（11）は、室内機（20）の後述する室内機伝送部（21）との間で信号の送受信をして通信を行う。この通信では、信号線（S）と共通線（N）との間の電位差に基づいて、ハイレベル及びローレベルの２値のデジタル信号による通信を行う。そのため、室内機伝送部（21）内の通信回路は、一端が共通線（N）に接続され、通信回路の他端はリレー（K14R）を介して信号線（S）に接続されている。
【００３６】
−室外機制御部（13）−
室外機制御部（13）は、マイクロコンピュータとそれを動作させるプログラムを含んでいる。室外機制御部（13）は、例えば室外機伝送部（11）が室内機伝送部（21）から受信した信号に応じて前記電動圧縮機等の制御を行う他、室外機（10）の起動時の制御（後述）も行う。
【００３７】
−室外機記憶部（15）−
室外機記憶部（15）は、室外機制御部（13）に接続されている。
【００３８】
室外機記憶部（15）には、室外機（10）が待機電力対応機種であるか否かを示す機種仕様情報（「１」、「０」のビット）が予め記憶されている。
【００３９】
−リレー（K13R）−
リレー（K13R）は、第２室外機電源部（12）への交流供給の経路を切替えるリレーである。リレー（K13R）は、いわゆるＣ接点リレーで構成されている。詳しくは、リレー（K13R）は、２つの固定接点と、ひとつの可動接点を有し、該リレー（K13R）のコイル（不図示）に通電されていない場合は、一方の固定接点（ノーマルクローズ接点とよぶ）と可動接点とが接続され、上記コイルに通電されると、もう一方の固定接点（ノーマルオープン接点とよぶ）と可動接点とが接続される。リレー（K13R）の切換え（コイルへの通電の有無）は、室外機制御部（13）が制御する。
【００４０】
この例では、リレー（K13R）の可動接点は、第２室外機電源部（12）に接続されている。また、ノーマルクローズ接点は、信号線（S）に接続され、ノーマルオープン接点は、前記三相交流のＲ相に接続されている。
【００４１】
− リレー（K14R） −
リレー（K14R）は、信号線（S）と室外機伝送部（11）との接続及び非接続を切り替えるリレーである。リレー（K14R）を接続状態（オン）にすれば、信号線（S）と室外機伝送部（11）とが接続され、リレー（K14R）を非接続状態（オフ）にすれば、信号線（S）と室外機伝送部（11）とが切断される。このリレー（K14R）のオンオフは、室外機制御部（13）が制御する。
【００４２】
−リレー（K15R）−
リレー（K15R）は、室外機伝送部（11）と前記三相交流のＲ相との間に設けられ、室外機伝送部（11）への電力供給の有無を切り替えるリレーである。リレー（K15R）をオンにすれば、室外機伝送部（11）は給電され、リレー（K15R）をオフにすれば室外機伝送部（11）への給電が断たれる。このリレー（K14R）のオンオフは、室外機制御部（13）が制御する。
【００４３】
−リレー（K16R）−
リレー（K16R）は、前記三相交流のＲ相、Ｓ相の供給ラインにそれぞれ設けられている。これら２つのリレー（K16R）は、第１室外機電源部（14）への電力供給の有無を切り替えるリレーである。リレー（K16R）をオンにすれば、第１室外機電源部（14）は給電され、リレー（K16R）をオフにすれば第１室外機電源部（14）への給電が断たれる。このリレー（K16R）のオンオフは、室外機制御部（13）が制御する。
【００４４】
<室内機の親機（待機電力対応機種）>
室内機の親機（20a）は、電装系統として、室内機電源部（22）と、本発明に係る送信部を構成する室内機伝送部（21）及び室内機通信部（25）と、室内機制御部（23）と、室内機記憶部（24）と、リレー（K2R）と、第１及び第２ダイオード（D1,D2）とを備えている。尚、図示は省略するが、室内機（20）には、室内熱交換器、室内ファンなどの機器が設けられている。
【００４５】
−室内機電源部（22）−
室内機電源部（22）は、電力配線（L）及び共通線（N）を介して交流電源（40）から供給された交流を直流（この例では５Ｖ）に変換し、室内機制御部（23）に供給する。
【００４６】
−室内機伝送部（21）−
室内機伝送部（21）は、前述したように、室外機伝送部（11）との間で信号の送受信による通信を行う。そして、信号線（S）と共通線（N）との間の電位差に基づいて、デジタル信号による通信を行うので、室内機伝送部（21）の通信回路の一端は、第２ダイオード（D2）を介して信号線（S）に接続され、通信回路の他端は、共通線（N）に接続されている。
【００４７】
−リレー（K2R）−
リレー（K2R）は、電力配線（L）と信号線（S）とを結ぶバイパス線（B）に設けられており、電力配線（L）と信号線（S）との接続及び非接続を切り替えるリレーである。このリレー（K2R）は、電力供給が遮断された室外機（10）に対し電力供給を開始する起動手段として機能する。そして、リレー（K2R）をオンにすれば、電力配線（L）と信号線（S）とが接続され、リレー（K2R）をオフにすれば、電力配線（L）と信号線（S）とが切断される。リレー（K2R）のオンオフは、室内機制御部（23）が制御する。
【００４８】
−第１ダイオード（D1）−
第１ダイオード（D1）は、アノードがバイパス線（B）と信号線（S）との接続ノード（ND1）に接続され、カソードがリレー（K2R）に接続されている。この第１ダイオード（D1）は、室内機伝送部（21）へ流入する方向の交流電流を阻止する。
【００４９】
−第２ダイオード（D2）−
第２ダイオード（D2）は、アノードが信号線（S）の接続ノード（ND1）に接続され、カソードが室内機伝送部（21）における信号入力ノード（ND2）に接続されている。この第２ダイオード（D2）は、室内機伝送部（21）から流出する方向の交流電流を阻止する。
【００５０】
−室内機制御部（23）−
室内機制御部（23）は、マイクロコンピュータとそれを動作させるプログラムを含んでいる。室内機制御部（23）は、例えば室内ファンの運転制御等を行う。この室内機制御部（23）が判定部を構成する。
【００５１】
−室内機記憶部（24）−
室内機記憶部（24）は、室内制御部（23）に接続されている。この室内機記憶部（24）には、室内機（20）が待機電力対応機種であるか否かを示す機種仕様情報（「１」、「０」のビット）が予め記憶されている。また、詳しくは後述するが、システム全体が待機電力対応であるか否かを示す情報が記憶される。
【００５２】
−室内機通信部（25）−
室内機通信部（25）は、室内機制御部（23）に接続されている。この室内機通信部（25）は、リモコン（30）の後述するリモコン通信部（32）との間で制御信号の送受信をして、リモコン（30）と通信する。室内機通信部（25）は、リモコン（30）からの指令を受信するために、運転の状態に関わらず、室内機電源部（22）によって給電されている。
【００５３】
〈室内機の子機（待機電力未対応機種）〉
室内機の子機（20b,20c,20d）は、バイパス線（B）、リレー（K2R）、及びダイオード
（D1）を備えていない点のみが室内機の親機（20a）と異なる。そのため、詳細な説明は
省略する。
【００５４】
〈リモコン（待機電力対応機種）〉
リモコン（30）は、ユーザーからの操作を受け付けると共に、ユーザーの操作に応じた制御信号を室内機通信部（25）に送信する。ユーザーは、例えば、リモコン（30）のボタン操作により、空気調和装置（1）の運転開始、停止、設定温度調整などを行えるようになっている。
【００５５】
リモコン（30）は、電装系統として、リモコン電源部（31）、リモコン通信部（32）、液晶表示部（33）、リモコン制御部（34）、リモコン記憶部（35）、及びリレー（36,37）を備えたワイヤードリモコンである。
【００５６】
−リモコン電源部（31）−
リモコン電源部（31）は、室内機通信部（25）に接続されている。このリモコン電源部（31）は、リモコン通信部（32）、液晶表示部（33）、及びリモコン制御部（34）とも接続され、該リモコン通信部（32）、液晶表示部（33）、及びリモコン制御部（34）に給電する。
【００５７】
−リモコン通信部（32）−
リモコン通信部（32）は、リモコン電源部（31）と並列に室内機通信部（25）に接続されており、該室内機通信部（25）との間で制御信号を送受信して通信する。
【００５８】
−液晶表示部（33)−
液晶表示部（33）は、例えばユーザが操作する内容や運転内容を表示する。尚、表示部は、液晶画面でなくてもよいことは勿論である。
【００５９】
−リモコン制御部（34）−
リモコン制御部（34）は、マイクロコンピュータとそれを動作させるプログラムを含んでいる。リモコン制御部（34）は、例えば、運転開始信号や運転停止信号をリモコン通信部（32）へ出力したり、リレー（36,37）の開閉制御をする。
【００６０】
−リモコン記憶部（35）−
リモコン記憶部（35）は、リモコン制御部（34）に接続されている。このリモコン記憶部（35）には、リモコン（30）が待機電力対応機種か否かを示す機種仕様情報（「１」、「０」のビット）が予め記憶されている。
【００６１】
−リレー（36）−
リレー（36）は、リモコン電源部（31）とリモコン通信部（32）との間に設けられ、リモコン通信部（32）への電力供給の有無を切り替えるリレーである。リレー（36）をオンにすれば、リモコン通信部（32）はリモコン電源部（31）から給電され、リレー（36）をオフにすればリモコン通信部（32）への給電が断たれる。
【００６２】
−リレー（37）−
リレー（37）は、リモコン電源部（31）と液晶表示部（33）との間に設けられ、液晶表示部（33）への電力供給の有無を切り替えるリレーである。リレー（37）をオンにすれば、リモコン電源部（31）から液晶表示部（33）に給電され、リレー（37）をオフにすれば液晶表示部（33）への給電が断たれる。
【００６３】
〈空気調和装置の動作〉
次に、空気調和装置（1）の動作について説明する。
【００６４】
図３は、空気調和装置（1）の状態遷移図である。空気調和装置（1）は、以下に説明するサスペンド状態、充電状態、ウエイト状態、及び運転状態の４つの状態を遷移する。尚、本明細書中において、待機電力とは「機器が非使用状態、若しくは何らかの入力（命令指示等）待ちの時に定常的に消費している電力」をいう。具体的には、空気調和装置（1）では、リモコン（30）の待ち受け状態に必要な電力が待機電力である。
【００６５】
（１）サスペンド状態
サスペンド状態とは、室内機（20）には電力が供給され、室外機（10）には電力が供給されていない状態である。
【００６６】
本実施形態のサスペンド状態は、一例として、空気調和装置（1）全体として消費電力
が最小になる状態となっている。具体的に、本実施形態のサスペンド状態では、室外機（10）は電力を受電してそれを室内機（20）へ供給はするが、内部の各回路や電動圧縮機などには電力が供給されていない状態である。つまり、室外機（10）は、交流電源（40）からの電力供給が遮断されている。
【００６７】
室内機（20）は、待機電力が最小となる状態であり、本実施形態では、室内機制御部（23）においてリモコン（30）からの信号受信に関わる部分は、室内機電源部（22）から電力を受けて動作している。
【００６８】
リモコン（30）は、待機電力が最小となる状態であり、リモコン通信部（32）及び液晶表示部（33）への電力供給が遮断され、ユーザーの運転操作の受け付けは可能な状態である。尚、室内機（20）及びリモコン（30）の消費電力（待機電力）の程度は、これに限られない。
【００６９】
（２）充電状態
充電状態とは、室外機（10）では、第２室外機電源部（12）に充電が開始され、室外機伝送部（11）と室内機伝送部（21）の間の信号伝送が開始されるまでの期間の状態をいう。
【００７０】
室内機（20）の電力消費は、サスペンド状態と同様である。
【００７１】
リモコン（30）では、電力供給が遮断されていたリモコン通信部（32）及び液晶表示部（33）に給電される。
【００７２】
（３）ウエイト状態
ウエイト状態とは、運転開始時には上記充電状態を抜けた状態であり、運転停止時には運転状態（後述）から遷移する状態であり、何れも、室外機（10）が、即時、運転状態へ移行可能な状態をいう。ウエイト状態では、室外機伝送部（11）、及び室外機制御部（13）の動作も可能である。特に、運転停止時のウエイト状態（運転状態から遷移するウエイト状態）は、電動圧縮機における冷媒圧力を均圧させるためや、運転開始と運転停止を繰り返すスケジュール運転が設定されている場合などのために設けられており、その時間は例えば１０分である。なお、室内機（20）及びリモコン（30）の電力消費は、充電状態と同様である。
【００７３】
（４）運転状態
運転状態とは、第１室外機電源部（14）からＩＰＭ及びファンモータに電力供給されて、電動圧縮機や室外ファンを運転可能、若しくは運転している状態をいう。
【００７４】
リモコン（30）の電力消費は、充電状態と同様である。一方、室内機（20）の電力消費は、室内ファン等が運転状態となるため、前記の各状態よりも増加する。尚、この運転状態を除く、サスペンド状態、充電状態、ウエイト状態が本明細書中における「運転停止中」に相当する。
【００７５】
−運転開始動作−
空気調和装置（1）では、運転開始する場合には、図３に実線矢印で示した順で、サスペンド状態から運転状態に遷移する。
【００７６】
<サスペンド状態における電装系統>
まず、サスペンド状態における電装系統の状態を説明する。図２は、サスペンド状態におけるリレーの状態を示している。
【００７７】
室外機（10）では、リレー（K14R）及びリレー（K15R）はオフ状態である。すなわち、室外機伝送部（11）は、信号線（S）との接続が断たれるとともに、電力の供給も断たれている。また、リレー（K13R）は、ノーマルクローズ接点と可動接点とが接続された状態である。つまり、第２室外機電源部（12）は、信号線（S）に接続されている。
【００７８】
室内機（20）では、リレー（K2R）はオフ状態である。すなわち、信号線（S）と電力配線（L）とは電気的に非接続状態である。
【００７９】
リモコン（30）では、リレー（36）及びリレー（37）はオフ状態である。すなわち、リモコン通信部（32）及び液晶表示部（33）は、リモコン電源部（31）からの電力供給が断たれている。
【００８０】
〈サスペンド状態から充電状態への移行〉
図４は、第２室外機電源部（12）に充電される回路が形成された時点の各リレーの状態を示す図である。また、図５は、充電状態への移行が完了した後の各リレーの状態を示す図である。例えばユーザーがリモコン（30）でボタン操作をすると、リレー（36）及びリレー（37）がオン状態になる。これにより、リモコン電源部（31）と液晶表示部（33）とが接続され、リモコン電源部（31）から液晶表示部（33）に電力が供給される。ユーザーがもう一度、リモコン（30）でボタン操作をすると、リモコン電源部（31）とリモコン通信部（32）とが接続され、リモコン電源部（31）からリモコン通信部（32）に電力が供給されると共に、リモコン（30）からリモコン通信部（32）を介して室内機の親機（20a）に運転指令信号が送信される。
【００８１】
室内機の親機（20a）では、室内機制御部（23）が室内機通信部（25）介して上記運転指令信号を受信する。運転指令信号を受信した室内機制御部（23）は、リレー（K2R）をオンにする。そうすると、前記三相交流のＲ相から、電力配線（L）、リレー（K2R）、第１ダイオード（D1）、信号線（S）、及びリレー（K13R）を介して第２室外機電源部（12）に到る経路が形成される。これにより、第２室外機電源部（12）が充電される回路が形成される（図４参照）。
【００８２】
室外機（10）では、第２室外機電源部（12）が規定の直流（この例では５Ｖ）を出力できるようになると、室外機制御部（13）が起動する。
【００８３】
室外機制御部（13）は、リレー（K13R）のノーマルオープン接点と可動接点とを接続状態とする。これにより、第２室外機電源部（12）は、信号線（S） を経由せずに交流電源（40） から電力供給された状態に切り換わる（図５参照）。こうして、サスペンド状態から充電状態への移行が完了する。
【００８４】
〈充電状態からウエイト状態への移行〉
図６は、ウエイト状態への移行完了時における各リレーの状態を示す図である。室内機（20）では、リレー（K2R）をオンにしてから所定の時間(室外機制御部（13）が起動するに十分な時間)が経過した後に、リレー（K2R）をオフにする。これにより、信号線（S）を信号の送受信に使用できるようになる。
【００８５】
室外機（10）では、リレー（K2R）がオフになったのを見計らって、室外機制御部（13
がリレー（K15R）をオンにし、室外機伝送部（11）に電力が供給された状態にすると共に、リレー（K14R）をオンにする。これにより、室外機伝送部（11）内の通信回路が、信号線（S）及び共通線（N）を介して室内機伝送部（21）と接続され、室内機伝送部（21）と通信可能な状態になる。これで、空気調和装置（1）は、充電状態を抜け、即時運転状態へ移行可能なウエイト状態となる。
【００８６】
〈ウエイト状態から運転状態への移行〉
図７は、運転状態における各リレーの状態を示す図である。ウエイト状態から運転状態への移行する際には、室外機（10）では、室外機制御部（13）がリレー（K16R）をオンにする。これにより、第１室外機電源部（14）への電力供給が開始される。そうして、第１室外機電源部（14）から上記ＩＰＭや室外ファンモータに電力が供給されて、電動圧縮機等が駆動する。
【００８７】
室内機の親機（20a）では、室内機制御部（23）が室外機（10）と通信し、室外機（10
）が運転を開始したことを認識する。室内機制御部（23）は、室外機（10）が運転を開始したことを認識すると、上記室内ファンを作動させると共に、子機（20b,20c,20d）と通信する。これにより、子機（20b,20c,20d）の室内制御部（23）が室外機（10）が運転を開始したことを認識し、子機（20b,20c,20d）が親機（20a）と連動して運転を開始する。このようにして、空気調和装置（1）では、複数台の室内機（20,20,…)単位で運転制御される。以上のようにして、運転状態への移行が完了し、例えば冷房又は暖房運転が行われる。
【００８８】
−運転停止動作−
運転停止する場合には、図３に破線矢印で示した順で、運転状態からサスペンド状態に遷移する。図８は、運転状態からサスペンド状態へ移行するときの信号の流れを説明するための図である。
【００８９】
運転状態において、例えばユーザがリモコン（30）で運転停止操作をすると、運転状態、ウエイト状態、サスペンド状態の順に遷移する。以下、運転状態からサスペンド状態までの動作を順に説明する。
【００９０】
<運転状態からウエイト状態への移行>
ユーザーがリモコン（30）で運転停止操作をすると、リモコン（30）から室内機の親機（20a）に運転停止信号が送信される。
【００９１】
運転停止信号を受信した室内機の親機（20a）は、運転停止信号を室外機（10）に送信する。
【００９２】
運転停止信号を受信した室外機（10）では、室外機制御部（13）がリレー（K16R）をオンからオフに切り換える。これにより、上記ＩＰＭや室外ファンモータへの電力供給が遮断されて、電動圧縮機等が停止する。こうして、運転状態からウエイト状態への移行が完了する（図６参照）。
【００９３】
〈ウエイト状態からサスペンド状態への移行〉
ユーザがリモコン（30）で運転停止操作をすると、リモコン（30）では、所定のサスペンド移行禁止条件が判定される。このサスペンド移行禁止条件は、例えばユーザーがリモコン（30）で運転停止操作をした時刻がスケジューリング機能で予約された運転開始予定時刻から所定時間以内である場合には、ウエイト状態からサスペンド状態への移行を禁止するというものである。上記サスペンド移行禁止条件に該当しない場合には、図８に示すように、リモコン（30）から室内機の親機（20a）にサスペンド移行信号としての遮断要求信号が送信される。
【００９４】
遮断要求信号を受信した室内機の親機（20a）は、室内機伝送部（21）を介して遮断要求信号を室外機（10）に送信する。
【００９５】
遮断要求信号を受信した室外機（10）では、室外機制御部（13）がリレー（K13R）のノーマルクローズ接点と可動接点とが接続された状態にする。これにより、第２室外機電源部（12）への電力供給が遮断される。また、室外機制御部（13）は、リレー（K14R）及びリレー（K15R）をオフにする。ここで、室外機制御部（13）は、リレー（K13R,K14R,K15R）を動作させる直前に、室外機（10）から室内機の親機（20a）にサスペンド移行信号としての遮断実施信号を送信する。
【００９６】
遮断実施信号を受信した室内機の親機（20a）は、室内機通信部（25）を介して遮断実施信号をリモコン（30）に送信する。
【００９７】
遮断実施信号を受信したリモコン（30）では、リモコン制御部（34）がリレー（36,37）をオフにする。これにより、リモコン電源部（31）からリモコン通信部（32）及び液晶表示部（33）への電力供給が遮断される。こうして、サスペンド状態への移行が完了する（図２参照）。
【００９８】
<サスペンド状態への移行可否判定>
図９は、待機電力未対応機種の室外機と、待機電力対応機種のリモコンと、室内機とが接続された場合の空気調和装置の電装系統ブロック図である。図１０は、待機電力対応機種の室外機と、待機電力未対応機種のリモコンと、室内機とが接続された場合の空気調和装置の電装系統ブロック図である。
【００９９】
本空気調和装置（1）は、前述したように、室内機（20）と待機電力未対応機種の室外機（10）や待機電力未対応機種のリモコン（30）とを組み合わせて利用することができる。しかしながら、待機電力未対応機種の室外機（10）は、前記待機電力対応機種の室外機（10）と異なりリレー（K13R,K14R,K15R）を備えておらず、第２室外機電源部（12）への電力供給を遮断することができない。そのため、室内機の親機（20a）から遮断要求信号が室外機（10）に送信されて、該遮断要求信号を室外機（10）が受信すると、システム障害（通信エラー）が生じる虞がある。また、待機電力未対応機種のリモコン（30）は、前記待機電力対応機種のリモコン（30）と異なりリレー（36,37）を備えておらず、液晶表示部（33）及びリモコン通信部（32）への電力供給を遮断することができない。そのため、室内機の親機（20a）から遮断実施信号がリモコン（30）に送信されて、該遮断実施信号をリモコン（30）が受信すると、システム障害（通信エラー）が生じる虞がある。
【０１００】
そこで、本空気調和装置（1）では、以下のようなサスペンド状態への移行可否判定を行っている。
【０１０１】
具体的には、空気調和装置（1）の室外機（10）と室内機（20,20,…)とリモコン（30）とを接続して、初めて起動させたときに、室内機の親機（20a）の室内機制御部（23）が図１１のフローチャートに示すような起動時チェックを実行する。
【０１０２】
具体的に、まずステップＳ１では、室内機制御部（23）は、室外機記憶部（15）及びリモコン記憶部（35）から室外機（10）及びリモコン（30）の機種仕様情報を取得する。
【０１０３】
続くステップＳ２では、室内機制御部（23）は、機種仕様情報に基づいて、室外機（10）、室内機の親機（20a）、及びリモコン（30）が待機電力対応機種であるか否かを判定する。ここで、室内機の親機（20a）自身の機種仕様情報は判定しなくてもよいことは勿論である。そして、室外機（10）、室内機の親機（20a）、及びリモコン（30）が全て待機電力対応機種である場合には、ステップＳ３に移行する一方、室外機（10）、室内機の親機（20a）、及びリモコン（30）の何れかが待機電力対応機種でない場合には、ステップＳ４に移行する。
【０１０４】
ステップＳ３では、システム全体が待機電力対応であることを示す待機電力対応情報が室内機記憶部（24）に記憶される。具体的には、例えば室内機記憶部（24）の所定のアドレスのビットを「１」にする。
【０１０５】
ステップＳ４では、システム全体が待機電力対応ではないことを示す待機電力未対応情報が室内機記憶部（24）に記憶される。具体的には、例えば室内機記憶部（24）の上記所定のアドレスのビットを「０」にする。
【０１０６】
そうして、前記のようにリモコン（30）から室内機の親機（20a）に遮断要求信号が送信されて、該遮断要求信号を室内機の親機（20a）が受信すると、室内機の親機（20a）では、室内機制御部（23）が、室内機記憶部（24）に待機電力対応情報が記憶されているときに、サスペンド状態へ移行可能と判定して、遮断要求信号を室外機（10）に送信する一方、室内機記憶部（24）に待機電力対応情報が記憶されていないとき（換言すれば、待機電力未対応情報が記憶されているとき）には、サスペンド状態へ移行不可と判定して、遮断要求信号を室外機（10）に送信しない。従って、空気調和装置（1）に待機電力未対応機種の室外機（10）や待機電力未対応機種のリモコン（30）が含まれているときには、室外機（10）が遮断要求信号を受信することはない。この場合、遮断要求信号を室外機（10）が受信することはないから、室外機（10）から室内機の親機（20a）に遮断実施信号が送信されない。その結果、室内機の親機（20a）からリモコン（30）に遮断実施信号が送信されず、該遮断実施信号をリモコン（30）が受信することはない。尚、このように空気調和装置（1）に待機電力未対応機種の室外機（10）や待機電力未対応機種のリモコン（30）が含まれているときには、室内機の親機（20a）から室外機（10）に遮断要求信号に送信されないから、空気調和装置（1）は、サスペンド状態にはならず、ウエイト状態と運転状態との２つの状態にのみなり得る。
【０１０７】
<実施形態１の効果>
本実施形態１によれば、室内機の親機（20a）と子機（20b,20c,20d）のうち、親機（20a）にのみに運転開始要求がされ、該親機（20a）が待機電力対応機種で構成されているから、電力供給が遮断された室外機（10）は室内機の親機（20a）により確実に起動される。そのため、室内機の子機（20b）に待機電力未対応機種が含まれていても作動する。
【０１０８】
また、待機電力対応機種の室内機（20）と待機電力未対応機種の室外機（10）とが組み合わされた場合において、仮に待機電力機種の室内機（20）から待機電力未対応機種の室外機（10）に遮断要求信号が送信され、該遮断要求信号を待機電力未対応機種の室外機（10）が受信したときには、室外機（10）が電力供給を遮断することができるように構成されていないため、システム障害が発生し得るところ、本空気調和装置（1）では、室外機（10）、室内機の親機（20a）、及びリモコン（30）が全て待機電力対応機種である場合にのみ、室内機の親機（20a）から室外機（10）に遮断要求信号を送信するように構成されているため、待機電力未対応機種の室外機（10）が遮断要求信号を受信することはない。そのため、本空気調和装置（1）では、上記のようなシステム障害は発生しない。
【０１０９】
従って、待機電力対応機種の室内機（20)と待機電力未対応機種の室外機（10）とを組み合わせてもシステム障害が発生せず、室内機（20,20,…）に待機電力対応機種と待機電力未対応機種とが混在していても作動するマルチ型の空気調和装置を提供することができる。
【０１１０】
さらに、待機電力対応機種の室内機（20）と待機電力未対応機種のリモコン（30）とが組み合わされた場合において、仮に待機電力機種の室内機（20）から待機電力未対応機種のリモコン（30）に遮断実施信号が送信され、該遮断実施信号を待機電力未対応機種のリモコン（30）が受信したときには、リモコン（30）がリモコン通信部（32）及び液晶表示部（33）への電力供給を遮断することができるように構成されていないため、システム障害が発生し得るところ、本空気調和装置（1）では、室外機（10）、室内機の親機（20a）、及びリモコン（30）が全て待機電力対応機種である場合にのみ、室内機の親機（20a）から室外機（10）に遮断要求信号を送信するように構成されているため、リモコン（30）が待機電力未対応機種である場合には、室内機の親機（20a）から室外機（10）に遮断要求信号が送信されない。その結果、遮断実施信号を待機電力未対応機種のリモコン（30）が受信することはない。そのため、本空気調和装置（1）では、上記のようなシステム障害は発生しない。
【０１１１】
加えて、待機電力対応機種の室外機（10）と待機電力対応機種のリモコン（30）とを組み合わせた場合には、リモコン（30）のリモコン通信部（32）及び液晶表示部（33）への電力供給が遮断されるため、待機電力をより効果的に低減することができる。
【０１１２】
《実施形態２》
次に本発明の実施形態２に係る空気調和装置について説明する。
【０１１３】
この実施形態２に係る空気調和装置（1）では、図１２に示すように、運転停止動作において、リモコン（30）から室内機の親機（20a）に遮断要求信号が送信されない。この点が上記実施形態１と異なる。そこで、実施形態２に係る空気調和装置（1）の運転停止動作について説明する。
【０１１４】
運転状態において、例えばユーザがリモコン（30）で運転停止操作をすると、リモコン（30）から室内機の親機（20a）に運転停止信号が送信される。ここで、リモコン（30）では、前記実施形態１のようなサスペンド移行禁止条件は判定されない。
【０１１５】
運転停止信号を受信した室内機の親機（20a）では、室内機制御部（23）が、室内機記憶部（24）に待機電力対応情報が記憶されているときには、サスペンド状態へ移行可能と判定して、室内機伝送部（21）を介して運転停止信号及び遮断要求信号を室外機（10）に送信する一方、室内機記憶部（24）に待機電力対応情報が記憶されていないとき（換言すれば、待機電力未対応情報が記憶されているとき）には、サスペンド状態へ移行不可と判定して、室内機伝送部（21）を介して運転停止信号及び遮断要求信号のうちの運転停止信号のみを室外機（10）に送信する。その後の運転停止動作は、上記実施形態１と同様であるため、説明は省略する。
【０１１６】
<実施形態２の効果>
本実施形態２によれば、前記実施形態１と同様の効果を奏する。
【０１１７】
《その他の実施形態》
本発明は、上記実施形態について、以下のような構成としてもよい。
【０１１８】
即ち、上記実施形態では、室外機（10）を１台としたが、図１３に示すように複数台としてもよい。このときには、室外機（10,10,…）に待機電力対応機種と待機電力未対応機種とが混在する場合がある。そこで、図１１に示す起動時チェックのステップＳ２において、リモコン（30）と室外機（10,10,…）の少なくとも１台が待機電力対応機種であるか否かを判定し、リモコン（30）と室外機（10,10,…）の少なくとも１台が待機電力対応機種である場合に、ステップＳ３に移行するように構成する。そして、ステップＳ３では、待機電力対応情報に加えて、待機電力対応機種の室外機（10）が何れの室外機（10）であるかを示す室外機情報も室内機記憶部（24）に記憶しておく。仮に室外機（10a,10b）が待機電力対応機種であり、室外機（10c）が待機電力未対応機種であるとすると、空気調和装置（1）の運転停止動作時には、室外機制御部（23）が、上記室外機情報に基づいて待機電力対応機種である室外機（10）を判別し、室内機の親機（20a）から待機電力対応機種である室外機（10a,10b）に遮断要求信号を送信するように構成する。
【０１１９】
また、室内機の子機（20b,20c,20d）を全て待機電力未対応機種としたが、これに限られず、待機電力対応機種と待機電力未対応機種とを混在させてもよいし、全て待機電力対応機種としてもよい。この場合、共通線（N）と信号線（S）との間に電源電圧が印加され、通信異常となるのを回避するために、待機電力対応機種で構成された室内機の子機（20b,20c,20d）がリレー（K2R）をオンにしないように構成することが好ましい。
【０１２０】
さらに、待機電力対応機種のリモコン（30）をリモコン通信部（32）及び液晶表示部（33）への電力供給を遮断可能に構成したが、これに限られず、例えばリモコン通信部（32）及び液晶表示部（33）の一方への電力供給を遮断可能に構成してもよい。
【０１２１】
加えて、待機電力未対応機種の室外機（10）と、待機電力未対応機種のリモコン（30）と、室内機（20,20,・・・）とを組み合わせてもよい。
【０１２２】
また、待機電力未対応機種のリモコン（30）のみしか組み合わせることができない空気調和装置を構成してもよく、この場合には、図１１に示す起動時チェックのステップＳ１においてリモコン（30）の機種仕様情報を取得せずに室外機（10）の機種仕様情報のみを取得し、ステップＳ２において、室外機（10）が待機電力対応機種であるか否かを判定するようにする。
【０１２３】
さらに、空気調和装置（1）では、室外機（10）にサスペンド移行信号（遮断要求信号）を送信する通信回路（室内機伝送部（21））と、リモコン（30）にサスペンド移行信号（遮断実施信号）を送信する通信回路（室内機通信部（25））とを別々に設けたが、１つの通信回路で室外機（10）及びリモコン（30）の双方にサスペンド移行信号を送信するようにしてもよい。
【産業上の利用可能性】
【０１２４】
本発明は、待機電力対応機種の室内機と待機電力未対応機種の室外機とを組み合わせてもシステム障害が発生せず、室内機に待機電力対応機種と待機電力未対応機種とが混在していても作動するマルチ型空気調和装置を提供することができる点で有用である。
【符号の説明】
【０１２５】
１                空気調和装置
１０              室外機
１５              室外機記憶部
２０              室内機
２０ａ            親機
２０ｂ            子機
２１              室内機伝送部（送信部）
２３              室内機制御部（判定部）
２５              室内機通信部（送信部）
３０              リモートコントローラ（リモコン）
３２              リモコン通信部
３３              液晶表示部
３５              リモコン記憶部
Ｋ２Ｒ            リレー（起動手段）
【図１】
0005772587.tif 000002
【図２】
0005772587.tif 000003
【図３】
0005772587.tif 000004
【図４】
0005772587.tif 000005
【図５】
0005772587.tif 000006
【図６】
0005772587.tif 000007
【図７】
0005772587.tif 000008
【図８】
0005772587.tif 000009
【図９】
0005772587.tif 000010
【図１０】
0005772587.tif 000011
【図１１】
0005772587.tif 000012
【図１２】
0005772587.tif 000013
【図１３】
0005772587.tif 000014